【事件の表示】
　平成　９年特許願第　１３５３９号「予測符号化装置および予測復号化装置」拒絶査定に対する審判事件［平成１０年　８月　７日出願公開、特開平１０−２１０３０２］について、次のとおり審決する。
【結　論】
　本件審判の請求は、成り立たない。
【理　由】
１．手続の経緯等
　本願は、平成９年１月２８日の出願であって、平成１４年１０月１０日付けの拒絶理由通知書に対して、平成１４年１２月２４日付けで意見書と手続補正書が提出され、平成１５年１月２１日付けで拒絶査定がなされ、平成１５年２月２７日に審判請求書が提出され、平成１５年３月３１日付けで手続補正書が提出された。
　本願は各手続補正書により補正された明細書、並びに、図面の記載からみて、「予測符号化装置および予測復号化装置」に関するものと認める。
　
２．原査定の拒絶理由
　一方、原査定の平成１４年１０月１０日付け拒絶の理由のうち、明細書等の記載について指摘された点の概要は、次のとおりである。
『２．この出願は、明細書の記載が下記の（１）及び（２）の点で、特許法第３６条第６項第２号に規定する要件を満たしていない。
　　　　　記　　　（引用文献等については引用文献等一覧参照）
［理由２］
（１）本願請求項１〜８には、予測符号化装置及び予測復号化装置において、「予測メモリ」がどの様に用いられて予測符号化及び予測復号を行うのかが記載されていない。
（２）本願請求項１〜８の記載からは、本願発明の目的である予測メモリのクリア処理に要する時間の短縮を、どの様にして行うのかがわからない。』
　
３．原査定
　そして、この拒絶の理由に応じてなされた平成１４年１２月２４日付けの手続補正書による補正に対して、原査定では、
『この出願については、平成１４年１０月１０日付け拒絶理由通知書に記載した理由２によって、拒絶をすべきものである。
　なお、意見書及び手続補正書の内容を検討したが、拒絶理由を覆すに足りる根拠が見いだせない。
備考
　本願請求項１〜８に記載の発明は、依然として不明確であり、本願発明の目的である予測メモリのクリア処理に要する時間の短縮が、どの様にして達成されるかがわからない。』としている。
　
４．請求人の主張
　これに対して、請求人は、平成１５年３月３１日付けの手続補正書で特許請求の範囲を訂正すると共に、請求の理由において、（審判請求書の手続補正書の２頁２２行〜３頁２３行）
『（３）記載不備の指摘事項に対する対処
　指摘事項（イ）については、指摘のような不備はないものと確信する。指摘事項（ロ）については、審判請求と同時に提出した平成１５年３月３１日付けの手続補正書により補正をしたので、指摘の不備は解消したものと思料する。
　（ａ）指摘事項（イ）について
　「（逆）予測メモリ」の用いられ方については、明細書中の段落[００１４]〜段落[００１９]に詳細に説明されている。
　したがって、これらの明細書中の説明を出願時の技術常識をもって考慮して請求項に記載されている用語「（逆）予測メモリ」を解釈すると、当業者にとって「（逆）予測メモリ」がどの様に用いられて予測符号化（予測復号化）を行なうのかは明らかである。その結果、請求項の記載から「特許を受けようとする発明」は明確に把握される。
　（ｂ）指摘事項（ロ）について
　平成１５年３月３１日付けの手続補正書により、（逆）予測メモリのクリア処理タイミングと、符号化処理タイミング（復号化処理タイミング）との関係について、「予測メモリのクリアを符号化処理時の予測メモリ書換処理が発生しない期間に実行する（逆予測メモリのクリアを復号化処理時の逆予測メモリ書換処理が発生しない期間に実行する）」と補正することにより、（逆）予測メモリのクリア処理に要する時間の短縮方法を明らかにした。
　（ｃ）補正の根拠の明示
　平成１５年３月３１日付けの手続補正書における「の予測メモリ書換処理が発生しない期間」の補正事項は、出願当初明細書段落[００４０]第５行目から第６行目、段落[００４４]第１行目から第２行目の記載「の予測メモリ書換処理が発生しない期間」に基づくものである。
　平成１５年３月３１日付けの手続補正書における「の逆予測メモリ書換処理が発生しない期間」の補正事項は、出願当初明細書段落[００４０]第５行目から第６行目、段落[００４４]第１行目から第２行目の記載「の予測メモリ書換処理が発生しない期間」、及び出願当初明細書段落[００５９]の記載「以上、本発明の実施例は全て符号化処理について説明したが、復号化処理を行う予測復号化装置における逆予測テーブルのクリア処理に、まったく同様に適用することができる。」に基づくものである。』
と主張している。
　
５．明細書の記載事項
　明細書には次の記載がある。
【特許請求の範囲】
「【請求項１】 注目画素の周辺に位置する複数の画素から参照画素を選択し、
参照画素の状態から注目画素を予測し予測符号化する予測符号化装置において、読み書きが予測メモリを初期化する手段と、予測メモリを符号化状態により書き換える予測メモリ書換手段と、予測メモリ書換手段を任意に選択する手段とを具備し、
　予測メモリのクリアを符号化処理時の予測メモリ書換処理が発生しない期間に実行することを特徴とする予測符号化装置。
　【請求項２】 注目画素の周辺に位置する複数の画素から参照画素を選択し、
参照画素の状態から注目画素を予測し予測符号化する予測符号化装置において、予測メモリを初期化する手段と、予測メモリを符号化状態により書き換える予測メモリ書換手段と、予測メモリ書換手段を任意に選択する手段と、予測メモリのクリア済アドレスを検出する手段と、前記検出結果により符号化処理開始を制御する手段を具備し、
予測メモリのクリアを符号化処理時の予測メモリ書換処理が発生しない期間に実行することを特徴とする予測符号化装置。
　【請求項３】 注目画素の周辺に位置する複数の画素から参照画素を選択し、
参照画素の状態から注目画素を予測し予測符号化する予測符号化装置において、予測メモリを初期化する手段と、予測メモリを符号化状態により書き換える予測メモリ書換手段と、書き換え発生を検知する手段と、前記検知結果により予測メモリ初期化を停止する手段と具備し、
　予測メモリのクリアを符号化処理時の予測メモリ書換処理が発生しない期間に実行することを特徴とする予測符号化装置。
　【請求項４】 請求項１ないし請求項３のいずれか記載の予測符号化装置において、予測メモリへのアドレス入力を任意にビット入替えできる手段を具備することを特徴とする予測符号化装置。
　【請求項５】 画素データを予測符号化した符号を、復号化済の参照画素の状態から注目画素を逆予測しながら復号する予測復号化装置において、逆予測メモリを初期化する手段と、逆予測メモリを復号化状態により書き換える逆予測メモリ書換手段と、逆予測メモリ書換手段を任意に選択する手段とを具備し、
逆予測メモリのクリアを復号化処理時の逆予測メモリ書換処理が発生しない期間に実行することを特徴とする予測復号化装置。
　【請求項６】 画素データを予測符号化した符号を、復号済の参照画素の状態から注目画素を逆予測しながら復号する予測復号化装置において、逆予測メモリを初期化する手段と、逆予測メモリを復号化状態により書き換える逆予測メモリ書換手段と、逆予測メモリ書換手段を任意に選択する手段と、逆予測メモリのクリア済アドレスを検出する手段と、前記検出結果により復号化処理開始を制御する手段を具備し、
逆予測メモリのクリアを復号化処理時の逆予測メモリ書換処理が発生しない期間に実行することを特徴とする予測復号化装置。
　【請求項７】 画素データを予測符号化した符号を、復号済の参照画素の状態から注目画素を逆予測しながら復号する予測復号化装置において、逆予測メモリを初期化する手段と、逆予測メモリを復号化状態により書き換える逆予測メモリ書換手段と、書き換え発生を検知する手段と、前記検知結果により前記逆予測メモリ初期化を停止する手段を具備し、
逆予測メモリのクリアを復号化処理時の逆予測メモリ書換処理が発生しない期間に実行することを特徴とする予測復号化装置。
　【請求項８】 請求項５ないし請求項７のいずれか記載の予測復号化装置において、逆予測メモリへのアドレス入力を任意にビット入替えできる手段を具備することを特徴とする予測復号化装置。」
　
【００２９】〜【００３３】
「【００２９】
　本発明は、上記問題に鑑み、予測符号方式の予測符号化装置または予測復号化装置において、
予測メモリのクリア処理に要する時間を短縮することを目的とする
【００３０】
【課題を解決するための手段】
　本発明にかかる予測符号方式における符号化手段においては、ＪＢＩＧなどの予測メモリを使用する予測符号化方式において、予測メモリのクリアを通常の符号化処理時に実施できるよう制御部を設け、予測メモリクリアによる符号化処理時間のオーバーヘッドを解消できるようにした。
　また、本発明にかかる予測符号方式における復号化手段においては、ＪＢＩＧなどの予測メモリを使用する予測復号化方式において、逆予測メモリのクリアを通常の復号化処理時に実施できるよう制御部を設け、逆予測メモリクリアによる復号化処理時間のオーバーヘッドを解消できるようにした。
　　　【００３１】
　さらに詳細には、本発明は、注目画素の周辺に位置する複数の画素から参照画素を選択し、参照画素の状態から注目画素を予測し予測符号化する予測符号化装置において、予測メモリを初期化する手段と、予測メモリを符号化状態により書き換える予測メモリ書換手段と、予測メモリ書換手段を任意に選択する手段と、予測メモリのクリア済アドレスを検出する手段と、前記検出結果により符号化処理開始を制御する手段と、書き換え発生を検知する手段と、前記検知結果により予測メモリ初期化を停止する手段と、予測メモリへのアドレス入力を任意にビット入替えできる手段を具備した。
　　　【００３２】
　また本発明は、画素データを予測符号化した符号を、復号化済の参照画素の状態から注目画素を逆予測しながら復号する予測復号化装置において、逆予測メモリを初期化する手段と、逆予測メモリを復号化状態により書き換える逆予測メモリ書換手段と、逆予測メモリ書換手段を任意に選択する手段と、逆予測メモリのクリア済アドレスを検出する手段と、前記検出結果により復号化処理開始を制御する手段と、書き換え発生を検知する手段と、前記検知結果により前記逆予測メモリ初期化を停止する手段と、逆予測メモリへのアドレス入力を任意にビット入替えできる手段を具備した。
　　　【００３３】
　　【作用】
　本発明によれば、予測メモリクリアもしくは逆予測メモリクリアのみに必要な時間を最小限に短縮したので、全体の符号化処理または復号化処理を高速化できるとともに、スキャナ等からリアルタイムに画像入力された場合にもストライプ処理を行うことができる。」
　
【００３５】〜【００５１】
「【００３５】
　本実施例では、図１１に示した従来の予測符号化装置と比較すると、予測テーブル１３１が格納される予測メモリ１３を、特に読み書きが別々に制御できる２ｐｏｒｔＲＡＭで構成し、さらに、ＲＡＭ１３への書き込みを制御するライト制御部１２を設けた点で相違する。
　符号化処理の流れは、図１１と同様であるため省略する。
　　　【００３６】
　本発明は、符号化開始時における予測メモリ１３の内容のクリアをライト制御部１２で実施する。ライト制御部１２の動作を図２のライト制御部構成図を用いて説明する。
　セレクタ１２３には、コンテキストＣＯＮＴと、アドレスカウンタ１２１からのクリア用アドレス信号ＣＡＤが入力される。セレクタ１２４には、書換データＮＭＰＳまたはＮＬＰＳもしくは新予測値と、”０”データが入力される。
　　　【００３７】
　まず、クリア開始指令ＣＭＤが入力されると、制御部１２２においてメモリクリア処理を開始する。
　制御部１２２は、メモリクリア用のアドレスカウンタ１２１にカウントイネーブル信号ＣＥＮを入力する。
　カウントイネーブル信号ＣＥＮが入力されたアドレスカウンタ１２１は、アドレス０から順にカウントアップしてクリア用アドレスＣＡＤを生成する。クリア用アドレスＣＡＤは、カウントイネーブル信号ＣＥＮが出力されている間クロックＣＬＫによってカウントアップされ順次出力される。
　同時に、制御部１２２は、セレクタ１２３およびセレクタ１２４へ切替信号ＳＥＬを出力する。
　切替信号ＳＥＬを受けたセレクタ１２３は、アドレスカウンタ１２１からのクリア用アドレスＣＡＤを選択し、予測メモリ用のライトアドレスＷＡとして出力する。同様に、セレクタ１２４は、”０”を選択して予測メモリ用のライトデータＷＤとして出力する。
　制御部１２２は、ライト信号ＷＲＳを出力し、ライトアドレスＷＡアドレスされた予測値データおよびＳＴＡＴＥデータを”０”に書き換えてメモリクリアを実施する。
　　　【００３８】
　図１の実施例において、コンテキストＣＯＮＴおよびメモリのアドレスは、従来例と同様に、図中のＸ9〜Ｘ0の順で構成されているとする。
　ところで、１ライン目の符号化処理を実行する場合、上位ラインのコンテキストＸ9〜Ｘ2は原稿外であるので、ＪＢＩＧの規格によって全て”０”であると定められていることから、予測メモリのアドレスでは００００００００００〜００００００００１１の部分しか使用しないことになる。
　制御部１２２は、アドレスカウンタ１２１からのクリア用アドレスＣＡＤを監視し、上記アドレス分のみの予測値およびＳＴＡＴＥのクリアが終了したことを検出すると、クリア１終了信号ＣＥ１を出力して、符号化処理を開始できるようにする。
　　　【００３９】
　この時点での予測テーブル１３１の状態を図３に示す。図示したように、アドレス００００００００００〜００００００００１１の予測値およびＳＴＡＴＥは”０”に書き換えられているが、上記アドレス分以降のアドレスの上位部分の予測値およびＳＴＡＴＥはクリアされていない。しかしながら、１ライン目ではコンテキストは００００００００００〜００００００００１１と規定されているので、符号化に当たってはアドレスの上位部分を使用せず、この状態であっても、１ライン目の符号化処理を開始することができる。
　　　【００４０】
　このクリア１終了信号ＣＥ１により、１ライン目の符号化処理を開始した後、符号状態によっては予測メモリ１３の書換処理が発生する場合がある。以下、１ライン目の予測メモリの書き換えについて説明する。
　本発明では、制御部１２２は、符号化処理時の予測メモリ書換処理が発生しない期間にメモリクリア処理の続きを実施する。この時の制御部１２２の動作を図４のタイミングチャートを用いて説明する。
　　　【００４１】
　まず、算術符号化部１５が予測テーブル１３１の書き換えの発生を検出すると、算術符号化部１５からライト制御部１２に書換信号ＲＷＳが出力される。ここで、書換信号ＲＷＳはロー”Ｌ”のとき書換発生であるとする。
　サイクル１では、書換信号ＲＷＳがハイ”Ｈ”であるから、書換えは発生していない。したがって、制御部１２２はカウンタイネーブルＣＥＮをアドレスカウンタ１２１へ出力するとともに、セレクト信号ＳＥＬをセレクタ１２３およびセレクタ１２４へ出力する。アドレスカウンタ１２１はカウントを開始しクリア用のアドレスであるカウント値ｎをセレクタ１２３の０入力に出力する。セレクタ１２３は、０入力に入力されたクリア用アドレスＣＡＤを選択してライトアドレス信号ＷＡを出力する。また、セレクタ１２４は、０入力に入力された”０”を選択してライトデータＷＤとして出力する。
　予測メモリ１３は、ライトアドレスＷＡとライトデータＷＤ”０”とライト信号ＷＲＳによって当該アドレスの予測値およびＳＴＡＴＥをクリアされる。
　ライトデータＷＤ”０”の書込みが終了すると、カウンタ値はｎ＋１に更新される。
　　　【００４２】
　サイクル２では、書換信号ＲＷＳが”Ｌ”となり、書換えが発生したことが示される。書換発生時には、セレクタ１２４は書換データであるＮＭＰＳまたはＮＬＰＳもしくは新予測値を、セレクタ１２３は書換コンテキストＣＯＮＴを、それぞれ書き換え信号ＳＥＬによって選択し、それぞれライトデータＷＤ、ライトアドレスＷＡとして予測メモリ１３に出力され、ライト信号ＷＲＳにより、当該アドレスの予測値およびＳＴＡＴＥがＮＭＰＳまたはＮＬＰＳもしくは新予測値に書き換えられる。
　　　【００４３】
　書換信号ＲＷＳが”Ｌ”であるサイクル３も同様の処理が行われる。
　この書換発生時は、カウンタイネーブル信号ＣＥＮは”Ｌ”であるので、アドレスカウンタ１２１はカウント値ｎ＋１を保持している。
　サイクル４にて、書換信号ＲＷＳが”Ｈ”となったら、サイクル１と同様にメモリクリア処理を実施する。
　　　【００４４】
　以上により、符号化処理時のメモリ書き換えが発生しない時間にクリア処理を実施することができる。
　　　【００４５】
　次に２ライン目の符号化処理においては、上位ラインのコンテキストＸ9〜Ｘ7は原稿外となるので、予測メモリ１３のアドレスでは００００００００００〜０００１１１１１１１の部分しか符号化処理に使用しない。
　したがって、２ライン目の符号化開始条件は、上記アドレスのクリア処理を終了していればよい。
　そこで、制御部１２２は、アドレスカウンタ１２１からのクリア用アドレスＣＡＤを監視し、クリア１終了信号ＣＥ１に続いて、上記アドレス分のみの予測値およびＳＴＡＴＥのクリアが終了したことを検出すると、クリア２終了信号ＣＥ２を出力して、２ライン目の符号化処理を開始できるようにする。
　　　【００４６】
　このときの予測メモリ１３の状態を図５に示す。図示したようにアドレス００００００００００〜００００００００１１は１ライン目の書換処理により、データが入力されており、アドレス００００００００００〜０００１１１１１１１までがクリアされている。このアドレス以降の上位アドレスのデータはクリア処理がなされていない。
　しかしながら、アドレス０００１１１１１１１までがクリアできていれば、上位のアドレスのデータがクリアされていなくとも、２ライン目の符号化処理を開始することができる。
　　　【００４７】
　２ライン目の符号化処理開始時に、まだ全アドレスのクリアが終了していない場合は、１ライン目の処理と同様に、メモリ書換処理が発生しない期間にメモリクリア処理が実行される。
　　　【００４８】
　その後、アドレスカウンタ１２１のカウント値が全て”１”になり、全アドレスのクリア処理が終了したことを意味するキャリーアウトが出力されると、制御部１２２からクリア３終了信号ＣＥ３が出力される。
　　　【００４９】
　以上のクリア処理フローのタイミングチャートを図６に示す。
　ライト制御部１２にクリア開始指令ＣＭＤが入力された後、符号化実施に最低限必要なメモリクリアの期間をクリア１〜クリア３で示した。
　まず、クリア１は、アドレス００００００００００〜００００００００１１だけでよいので、４ＣＬＫで終了する。
　つまり、クリア開始信号ＣＭＤ入力から符号化を開始するまで４ＣＬＫあればよい。その後、２ライン目開始までには、クリア２が終了していればよい。
　これは、アドレス０００００００１００〜０００１１１１１１１のクリア処理であるから、１２４ＣＬＫでよい。
　クリア２処理の後３ライン目の符号化処理開始までに、クリア３を９９６ＣＬＫで実施する。
　　　【００５０】
　本発明によれば、クリア開始指令ＣＭＤから、３ライン目の処理開始までに、１０２４ＣＬＫ分のクリア期間を符号化時も含めて取れば、予測メモリ１３の全アドレスのクリア処理（初期化処理）を実行することができる。
　　　【００５１】
　通常、Ａ４サイズの原稿を、４００ｄｐｉ程度でスキャンするときには各ライン間に数百ＣＬＫ分の余裕をとることができるので、１ライン目と２ライン目の間と、２ライン目と３ライン目の間をこの予測メモリのクリア処理に当てれば、全アドレスのクリアを終了することができる。
　また、１ライン目処理時に、コンテキストが００００００００００〜００００００００１１の４種しかないことから、予測外れによるメモリ書換処理は頻繁に発生しないと考えられる。そのため、サイズＡ４で、４００ｄｐｉ程度の原稿等、１ラインの画素数が多い場合、１ライン目処理実行時で予測メモリの全アドレスをクリアすることができる。」
　
【００６４】
「【００６４】
　　【発明の効果】
　以上述べたように、この発明によれば、符号化時または復号化時に符号化処理時間または復号化処理時間全体から見た予測メモリのクリア処理にかかる時間を大幅に削減したので、処理全体の大幅な高速化につながるとともに、符号化または復号化のリアルタイム処理時にもストライプ処理対応することができる。」
　
６．当審の判断
　しかしながら、請求項１の「注目画素の周辺に位置する複数の画素から参照画素を選択し、参照画素の状態から注目画素を予測し予測符号化する予測符号化装置において、読み書きが予測メモリを初期化する手段と、予測メモリを符号化状態により書き換える予測メモリ書換手段と、予測メモリ書換手段を任意に選択する手段とを具備し、予測メモリのクリアを符号化処理時の予測メモリ書換処理が発生しない期間に実行することを特徴とする予測符号化装置。」の記載では、
請求人は審判請求書の手続補正書で、
「平成１５年３月３１日付けの手続補正書により、（逆）予測メモリのクリア処理タイミングと、符号化処理タイミング（復号化処理タイミング）との関係について、「予測メモリのクリアを符号化処理時の予測メモリ書換処理が発生しない期間に実行する（逆予測メモリのクリアを復号化処理時の逆予測メモリ書換処理が発生しない期間に実行する）」と補正することにより、（逆）予測メモリのクリア処理に要する時間の短縮方法を明らかにした。」と主張しているが、依然として「予測メモリのクリア処理に要する時間の短縮方法」が明らかになったとは、認められない。
　すなわち、【発明の詳細な説明】においては、発明の目的が【００２９】に記載されているように、「本発明は、上記問題に鑑み、予測符号方式の予測符号化装置または予測復号化装置において、
予測メモリのクリア処理に要する時間を短縮することを目的とする
予測メモリのクリア処理にかかる時間を大幅に削減した
　これにの記載からすると、本願発明の「特許を受けようとする発明」は、その目的を「
予測メモリのクリア処理に要する時間を短縮することを目的とする
予測メモリのクリア処理にかかる時間を大幅に削減した
　しかし、請求項１の記載をみると、「予測符号化装置」として、「読み書きが予測メモリを初期化する手段」と、「予測メモリを符号化状態により書き換える予測メモリ書換手段」と、「予測メモリ書換手段を任意に選択する手段」とを具備し、「予測メモリのクリアを符号化処理時の予測メモリ書換処理が発生しない期間に実行する」と記載されているのみであり、この記載からでは、「予測メモリのクリア処理に要する時間を短縮する」ための発明として明確ではない。
　また、「読み書きが予測メモリを初期化する手段」と、「予測メモリを符号化状態により書き換える予測メモリ書換手段」と、「予測メモリ書換手段を任意に選択する手段」との各手段と、実行する動作である「予測メモリのクリアを符号化処理時の予測メモリ書換処理が発生しない期間に実行する」がどのように関連しているかも明確に記載されていない。
　さらに、「予測メモリのクリアを符号化処理時の予測メモリ書換処理が発生しない期間に実行する」の記載では、メモリが書換処理をしているときにはメモリをクリアしないことは技術常識であと認められるから、この記載によりどのように発明を特定するか、その意義が明確でない。
　このように、原査定の拒絶の理由で指摘した、請求項１の記載が、依然として不明確である。
　
　なお、拒絶理由通知書、拒絶査定の審査官の指摘として「本願請求項１〜８の記載からは、本願発明の目的である予測メモリのクリア処理に要する時間の短縮を、どの様にして行うのかが
わからない
わからない
　
７．むすび
　以上のとおりであるので、この出願は、明細書及び図面の記載が、特許法第３６条第６項第２号に規定する要件を満たしていなく、拒絶されるべきものである。
　よって、結論のとおり審決する。